(57)【特許請求の範囲】
【請求項１】
うんてい装置（１３）を水のある場所（１）（１０）（１６）の水面（６）上方に配設し、このうんてい装置(１３)につかまって移動できる方向を面状とし、
このうんてい装置（１３）の少なくとも一部における水面（６）からの高さ（ｈ）を、懸垂している人（８）の身体の一部が上記の水面（６）下に浸かる高さに設定したことを特徴とする、浮力を利用したうんてい装置。
【請求項２】
水面（６）からのうんてい装置（１３）の高さ（ｈ）が変化している請求項１に記載の浮力を利用したうんてい装置。
【請求項３】
水のある場所（１）（１０）（１６）が浴槽（１）である請求項１ないし請求項２のいずれかに記載の浮力を利用したうんてい装置。
【発明の詳細な説明】
【０００１】
【発明の属する技術分野】
本発明は体力増強用あるいは遊戯用として用いられる、うんてい装置に関する。
【０００２】
【従来の技術】
上記うんてい装置は、金属管製の梯子の両端に支柱を立てたり、壁，天井から吊り下げることにより梯子を水平にささえた装置で、梯子を懸垂により渡っていくことにより、体力、バランス感覚などを向上できる体育、遊戯装置である。うんてい装置が設けられる場所としては、小中学校の運動場、公園、各種スポーツセンターなどのトレーニング場、フィールドアスレチック施設などがあり、対象とする人の身長に合わせた地上所定高さ位置に各種形状の梯子を架設する構成となっている。
【０００３】
【発明が解決しようとする課題】
しかしながら、梯子を懸垂で渡っていくことはかなりきつい運動であり、体力のない人、腕力の弱い人にとってはうんてい運動は難しいものであった。
【０００４】
【発明の目的】
本発明は上記課題に鑑みてなされたものであり、体力のない人、腕力の弱い人でもうんてい運動ができる、うんてい装置を提供することを目的とする。本発明の他の目的として、交通事故などによって主に指、手、腕、肩などに機能障害が残った人に対し、楽に機能回復の訓練が行えるうんてい装置を提供することがある。本発明の他の目的として、楽しく遊べ、リフレッシュできる浴場などのスペースを提供することがある。
【０００５】
【課題を解決するための手段】
上記の目的を達成するための請求項１の浮力を利用したうんてい装置を、例えば図１から図５を参照して説明すれば、水のある場所の水面６上方にうんてい装置１３を配設し、このうんてい装置１３につかまって移動できる方向を面状とし、このうんてい装置１３の少なくとも一部における水面６からの高さｈを、懸垂している人８の身体の一部が上記の水面６下に浸かる高さに設定したことを特徴とする。ここで、水のある場所としては、風呂の浴槽１、プール、河川などに設けられた遊泳場などが例示できる。つまり、水のある場所としては、人がうんてい装置１３を渡る場合に水の浮力によってうんてい運動に要する力を実質的に軽減できるだけの水量が存在する安全な場所であれば特に限定されない。
【０００６】
請求項２の浮力を利用したうんてい装置は、水面６からのうんてい装置１３の高さｈが変化していることを特徴とする。また、変化させる形態としては、うんてい運動を楽にするという観点からは、なだらかに変化させる方が好ましい。なお、遊戯用にうんてい装置を使用する場合は、逆に急激な変化を持たせた方がうんてい運動の難易度が高くなり、スリルを味わうことができる。
【０００７】
請求項３の浮力を利用したうんてい装置は、水のある場所が浴槽１であることを特徴としている。
【０００８】
【作用】
請求項１の浮力を利用したうんてい装置であれば、水のある場所の水面６上方にうんてい装置１３を設け、このうんてい装置１３の少なくとも一部における水面６からの高さｈを、懸垂している人８の身体の一部が上記の水面６下に浸かる高さに設定しているので、その水面下に浸かった身体に作用する水の浮力により入浴者８の実質的な体重を軽くすることができ、体力のない人、腕の力の弱い人、機能訓練を行っている人でも、楽にうんてい運動をすることができる。
【０００９】
しかもこの浮力を利用したうんてい装置は、うんてい装置１３につかまって移動できる方向が面状であることから、移動できる方向が線状であるうんてい装置に比べて、うんてい運動のバリエーションを増やすことができるとともに、一度にうんてい運動を行うことのできる人数を増やすことができる。
【００１０】
請求項２の浮力を利用したうんてい装置であれば、水面からのうんてい装置の高さ位置が変化しているので、水面から出る身体の部分が増えるにつれて身体に作用する浮力が減少するとともに腕の力が要求されるようになる。したがって、水のある場所内にいる人は浮力によって助けられた状態から通常のうんてい装置に近い状態へ徐々に移行することができ、自然に腕の力をつけることができたり、自分の体力に応じてうんてい運動をすることができる。
【００１１】
また、高さ位置の変化をなだらかとすることにより、うんてい装置を楽にうんてい運動を行うことに重点をおいた構成とすることができ、高さ位置の変化を急激とすることにより、うんてい装置を遊戯性に重点をおいた構成とすることができる。
【００１２】
請求項３の浮力を利用したうんてい装置であれば、浴槽上にうんてい装置を配設することにより、風呂内においてうんてい運動を行うことができる。したがって、入浴に遊びの要素を加えることができるとともに、機能回復訓練においても入浴効果により一層、機能回復効果を高めることができる。
【００１３】
【発明の実施の形態】
以下、本発明を実施形態を示す添付図面によって詳細に説明する。
最初に、本発明に係る浮力を利用したうんてい装置の基本構成を、図１から図３に示す梯子状のうんてい装置を用いて説明する。
図１は、浮力を利用したうんてい装置の基本構成を示す概略斜視図である。この基本構成では、水のある場所として浴場に設置された浴槽１を選んであり、浴場内において浴槽１が配置された位置の上方空間にうんてい装置２を設けた構成となっている。浴槽１は縦横の長さがともにａで、深さがｓの矩形状となっている。上記のうんてい装置２は、浴槽１の一端外側域から他端外側域にかけられた構成となっており、図１においてはタイコ橋状の形状となっている。
【００１４】
上記のうんてい装置２は、一対の支柱４，４と支柱４，４間に一定間隔で横架される横棒５とから構成された梯子３を有しており、その梯子３が浴槽１上でなだらかに曲がっていることにより、浴槽１の水面６からの高さｈがなだらかに変化するように構成している。即ち、図２に側断面図で示すように上記のうんてい装置２の横棒を手で握ってうんてい運動を行う場合には、水面６からうんてい装置２の梯子３までの高さが低い位置７では、入浴者８の体のうち水に浸かっている部分８ａが多くなり、浮力によって実質的な体重が軽くなるので、楽にうんてい運動を行うことができる。
【００１５】
これに対し、水面６から梯子３までの高さが高い位置９では、入浴者８の体のうち水に浸かっている部分８ａは足の部分だけとなり、うんてい遊びを行うための腕の力は通常のうんてい運動に要する力に近くなる。したがって、図２において、水面６からうんてい装置の梯子３までの高さｈが低い位置７から高い位置９まで、なだらかに変化するように梯子３を構成することにより、徐々に腕の力が要求されるようにすることができ、体力のない人でも自分の腕の力に合わせて、うんてい運動を行うことができる。
【００１６】
なお、上記のうんてい装置２の形状は、図１にしめすようなタイコ橋状に限らず、図３に側断面図で示すように梯子３の高さを上下に変化させた構成など各種の構成が採用できる。
【００１７】
また、図２に示すように浴槽１の周辺部では水面６から梯子３までの高さを低くし、浴槽１の中心部において水面６から梯子３までの高さを高くする構成を採用することにより、うんてい装置１の強度を保持することが簡単であるとともに、浴槽１上方にうんてい装置２が設けられた場合における圧迫感を少なくすることができる。また、このようなうんてい装置を多数の人が入浴する公衆浴場の浴槽に設けることにより、遊戯性が高く、リフレッシュ効果を高めた浴場施設を提供することができる。
【００１８】
近年の銭湯は、集客性を上げるために、サウナ室を備えた銭湯、浴槽内の液中に噴流を吹き出すジェットバス、ある種の薬効成分を液中に溶かした薬風呂などの各種の入浴アイテムを備えたものが多くなってきている。また、健康に対する意識の高まり、人口構成の高年齢化に伴い、公衆浴場が単に汚れを落とし、湯につかるものだけにとどまらず、一種の娯楽施設、リフレッシュ施設として認識される傾向が強くなってきている。
【００１９】
このような温泉施設、公衆浴場に要求されるものは、湯につかることを中心にした従来の風呂の発想を抜け出し、浴場にいることが楽しく爽快であり、楽しく遊んでいる間に心身の疲れがとれるというような種類のものである必要がある。このような観点から本発明のうんてい装置を考えると、浴槽上に設けられたうんてい装置でうんてい運動を遊びとして行っている内に、知らず知らずのうちに心身のリフレッシュを行うことができる利点がある。
【００２０】
【実施形態１】
図４は本発明のうんてい装置の第１実施形態を示す概略斜視図である。この第１実施形態におけるうんてい装置は、水のある場所としてプール１０を選択し、プール１０の外側域に複数の支持柱１２を立設し、その支持柱１２に網目状のうんてい装置１３を固定したことを特徴としている。網目状うんてい装置１３は波を打つように高さ位置が面状に変化しており、プール１０内で遊泳者は２次元的に移動することができるようになっている。
【００２１】
この構成であると前記の基本構成で説明した図１のうんてい装置と同じように水面６からの高さがなだらかに変化しているので、徐々に腕の力が要求されるようにすることができ、体力のない人でも腕の力などに合わせてうんてい運動を行うことができるとともに、前後左右の広範囲に移動できるので、うんてい運動にバリエーションを持たせることができる。
【００２２】
【実施形態２】
図５は本発明のうんてい装置の第２実施形態を示す概略斜視図である。この第２実施形態の特徴点は、海水浴場において、波打ち際１４の砂浜１５から海１６にかけて延出する網目状うんてい装置１３を設けた点にある。砂浜１５上にあるうんてい部分１３ａは通常の陸上のうんてい装置と同じように体力を要するが、海１６にあるうんてい部分１３ｂは、前記したように海水の浮力により楽にうんてい運動を行うことができる。なお、図５において符号１８は海底を示す。
【００２３】
このように波打ち際１４の砂浜１５から海１６にかけて延出する網目状うんてい装置１３を設けることにより、遊泳者は泳ぐこと、陸上でのうんてい遊び、浮力によって助けられた状態によるうんてい遊びを選択してあるいは連続して行うことができ、単に泳ぐだけの海水浴場に比べて、楽しいものとすることができる。また、網目状うんてい装置１３から落ちても下は砂浜１５あるいは海面６であるので足などを痛める恐れがない。また、このような性質からうんてい装置１３を利用したゲームを行うこともできる。なお、このような施設は自然の海水浴場に設けることは勿論のこと、人工的な砂浜を設けたプール施設にも同様に設けることができる。また、自然の川などに設けられた遊泳場などにおいても同様に設けることが可能である。
【００２４】
この発明は前記実施形態に限らず、本発明の要旨内で各種の変形を行って実施をすることが可能である。以下、そのような実施形態について説明する。
（１）本発明の浮力を利用したうんてい装置は、交通事故などによって上肢に障害が残った人などに対し、機能回復訓練を行う場合にも好適である。即ち、指、手、手首、腕、肩などの回復を行う場合に、うんてい装置を握り徐々に自分の体重を腕で支えるように努力していくことにより、楽しみながら機能回復をはかれることができるからである。
【００２５】
（２）また、前記実施形態では、うんてい装置において水面からの高さ位置が変化するものを例示したが、高さ位置が一定であるうんてい装置を水のある場所に単数あるいは複数個備えた構成も実施可能である。
【００２６】
（３）本発明に係るうんてい装置を浴槽上に設ける場合には、大量生産用に予め浴槽の一部にうんてい装置固定部を設け、浴槽とうんてい装置を予めセットとして製造しておき、施工現場で浴槽にうんてい装置を固定するようにしてもよい。
【００２７】
【発明の効果】
以上のように請求項１の発明によれば、以下の特有の効果を奏する。
（イ）うんてい装置が水のある場所の水面上方に設けられており、このうんてい装置の少なくとも一部における水面からの高さを、懸垂している人の身体の一部が上記の水面下に浸かる高さに設定してあるので、体力のない人、腕力の弱い人でも浮力により楽にうんてい運動をすることができる。
（ロ）浮力により楽にうんてい運動が行えるので、指、手、腕、肩などの機能回復の訓練をうんてい装置により行える。
（ハ）うんてい装置が水面上にあるので、陸上のうんてい装置よりも安全性が高いとともに、ゲームなどにも利用でき遊戯性の高いうんてい装置とすることができる。
（ニ）うんてい装置につかまって移動できる方向が面状であるので、うんてい運動をする人が広範囲に移動できるようになるとともに、大面積、大人数のうんてい運動に好適であり、うんてい運動を行いながらゲームを行うこともできる。
【００２８】
請求項２の発明であれば、水面からのうんてい装置の高さ位置が変化しているので、水面から出る身体の部分が増えるにつれて身体に作用する浮力が減少するとともに腕の力が要求され、入浴者は浮力によって助けられた状態から通常のうんてい装置の状態へ徐々に移行することができ、自然に腕の力をつけることができたり、自分の体力に応じてうんてい運動をすることができるという特有の効果を奏する。また、急激な変化をつけることにより、遊戯性の高いうんてい運動も行うことができ、うんてい装置のバリエーションを増やすことができるという特有の効果も奏する。
【００２９】
請求項３の発明であれば、浴槽にうんてい装置を配設することにより、湯に浸かるというリフレッシュに加えて、うんてい運動も行うことができ、浴槽のある浴場を楽しい遊びの場、リフレッシュの場とすることができるという特有の効果を奏する。
【図面の簡単な説明】
【図１】  本発明のうんてい装置の基本構成を説明するための、梯子状うんてい装置の概略斜視図である。
【図２】  基本構成の側断面図である。
【図３】  基本構成の変形を示す側断面図である。
【図４】  本発明の第１実施形態の概略斜視図である。
【図５】  本発明の第２実施形態の概略斜視図である。
【符号の説明】
１…浴槽、６…水面、８…懸垂している人(入浴者)、１０…プール、１３…網目状うんてい装置、１６…海、ｈ…水面からの高さ。
【図１】
0003780014.tif 000002
【図２】
0003780014.tif 000003
【図３】
0003780014.tif 000004
【図４】
0003780014.tif 000005
【図５】
0003780014.tif 000006